(57)【要約】【課題】従来は最上部のＬＳＩチップの上面以外にヒートシンクを取り付けることができないため、半導体装置全体として効率的な放熱ができず、また、最上部以外の下部のＬＳＩチップの発熱による熱も効率良く放熱できない。【解決手段】複数のＬＳＩチップ２が中継基板１上に積層された積層構造の半導体装置において、上下に隣接するＬＳＩチップ２との間又は最下部のＬＳＩチップの下面と基板１との間に熱伝導性アンダーフィル樹脂１０が設けられている。ＬＳＩチップ２の発熱は、最上部のＬＳＩチップ２の表面及びＬＳＩチップ２の各側面と熱伝導性アンダーフィル樹脂１０の側面にそれぞれ接触し、かつ、被覆する放熱シート９を介して、放熱シート９のＬＳＩチップ２と反対側表面が内面に接触され、かつ、積層構造の全体を覆うヒートシンク８に到達し、これより外部雰囲気中に放熱される。【選択図】図１
2006210892.tif 000002
【特許請求の範囲】
【請求項１】
複数のＬＳＩチップが基板上に積層された積層構造の半導体装置において、
上下に隣接する前記ＬＳＩチップとの間又は最下部の前記ＬＳＩチップの下面と前記基板との間に設けられた熱伝導性部材と、
前記複数のＬＳＩチップのうち、最上部のＬＳＩチップの表面及び前記複数のＬＳＩチップの各側面と前記熱伝導性部材の側面にそれぞれ接触し、かつ、被覆する放熱シートと、
前記放熱シートの前記ＬＳＩチップ側面の反対側表面が内面に接触され、かつ、前記積層構造の全体を覆うヒートシンクと
を有することを特徴とする半導体装置。
【請求項２】
互いにチップサイズが異なる複数のＬＳＩチップが、チップサイズが大きいものから順に基板上に順次積層され、最上部のＬＳＩチップは最もチップサイズが小さなＬＳＩチップである積層構造の半導体装置であって、
上下に隣接する２つの前記ＬＳＩチップとの間又は最下部の前記ＬＳＩチップの下面と前記基板との間に設けられた熱伝導性部材と、
前記複数のＬＳＩチップのうち、最上部のＬＳＩチップの表面、及び上下に隣接するＬＳＩチップのうち上部に隣接するＬＳＩチップの範囲より外側に現れた下部側のＬＳＩチップの表面と、前記複数のＬＳＩチップの各側面と、前記熱伝導性部材の側面にそれぞれ接触し、かつ、被覆する放熱シートと、
前記放熱シートの前記ＬＳＩチップ側面の反対側表面が内面に接触され、かつ、前記積層構造の全体を覆うように、該積層構造に対応した階段状の掘り込みが底面に形成されたヒートシンクと
を有することを特徴とする半導体装置。
【請求項３】
前記最上部のＬＳＩチップは、同じ最上層に設けられた２つ以上のＬＳＩチップからなることを特徴とする請求項１又は２記載の半導体装置。
【請求項４】
前記熱伝導性部材は、熱伝導性アンダーフィル樹脂であることを特徴とする請求項１乃至３のうちいずれか一項記載の半導体装置。
【請求項５】
前記熱伝導性部材は、熱伝導性のある液状の材料からなることを特徴とする請求項１乃至３のうちいずれか一項記載の半導体装置。
【請求項６】
前記放熱シートの部分は、熱伝導性のある液状の材料からなることを特徴とする請求項１乃至３のうちいずれか一項記載の半導体装置。
【請求項７】
複数のＬＳＩチップが基板上に積層された積層構造の半導体装置において、
上下に隣接する前記ＬＳＩチップとの間又は最下部の前記ＬＳＩチップの下面と前記基板との間に設けられた第１の放熱シートと、
前記複数のＬＳＩチップのうち、最上部のＬＳＩチップの表面及び前記複数のＬＳＩチップの各側面と前記第１の放熱シートの端部をそれぞれ被覆する第２の放熱シートと、
前記第２の放熱シートの前記ＬＳＩチップに接する面と反対側表面が内面に接触され、かつ、前記積層構造の全体を覆うヒートシンクと
を有することを特徴とする半導体装置。
【請求項８】
互いにチップサイズが異なる複数のＬＳＩチップが、チップサイズが大きいものから順に基板上に順次積層され、最上部のＬＳＩチップは最もチップサイズが小さなＬＳＩチップである積層構造の半導体装置であって、
上下に隣接する２つの前記ＬＳＩチップとの間又は最下部の前記ＬＳＩチップの下面と前記基板との間に設けられた第１の放熱シートと、
前記複数のＬＳＩチップのうち、最上部のＬＳＩチップの表面、及び上下に隣接するＬＳＩチップのうち上部に隣接するＬＳＩチップの範囲より外側に現れた下部側のＬＳＩチップの表面と、前記複数のＬＳＩチップの各側面と、前記熱伝導性部材の側面にそれぞれ接触し、かつ、被覆する第２の放熱シートと、
前記第２の放熱シートの前記ＬＳＩチップ側面の反対側表面が内面に接触され、かつ、前記積層構造の全体を覆うように、該積層構造に対応した階段状の掘り込みが底面に形成されたヒートシンクと
を有することを特徴とする半導体装置。
【請求項９】
前記最上部のＬＳＩチップは、同じ最上層に設けられた２つ以上のＬＳＩチップからなることを特徴とする請求項７又は８記載の半導体装置。
【請求項１０】
前記第１の放熱シートは、上下に隣接する前記複数のＬＳＩチップ間の電気的接続及び機械的接続を行うはんだバンプを逃がす開口部が穿設された低弾性係数の高分子材料からなることを特徴とする請求項７乃至９のうちいずれか一項記載の半導体装置。
【請求項１１】
前記第２の放熱シートの部分は、熱伝導性のある液状の材料からなることを特徴とする請求項７乃至９のうちいずれか一項記載の半導体装置。
【請求項１２】
前記ＬＳＩチップに替えて積層可能な電子部品が積層されてなることを特徴とする請求項１乃至１１のうちいずれか一項記載の半導体装置。
【発明の詳細な説明】
【技術分野】
【０００１】
本発明は半導体装置に係り、特に複数の大規模半導体集積回路（ＬＳＩ）チップが積層された半導体装置に関する。
【背景技術】
【０００２】
近年、多層回路基板に機能の異なる複数のＬＳＩチップを二次元配置するだけでなく、三次元に積層する構造の半導体装置が知られている。図７はこの三次元の積層配置の従来の半導体装置の一例の構造図を示す。同図において、中継基板１の上にＬＳＩチップ２が４層積層されており、各ＬＳＩチップ２には各ＬＳＩチップ２を電気的に接続する貫通電極３が形成されており、また、はんだバンプ４で互いに機械的及び電気的に接続されている。
【０００３】
また、最上部のＬＳＩチップ２の上面には放熱シート５を介してヒートシンク６が形成されている。また、中継基板１の裏面には中継基板１上のパッケージを外部のＰＷＢ（Printed Wiring Board）に接続するためにはんだボール７が設けられている。この従来の半導体装置では、ヒートシンク６は最上部ＬＳＩチップ２の上面からの熱を伝達し外部雰囲気中に放熱する。
【０００４】
また、発熱部品に取り付けられたヒートシンクが、準発熱部品と高熱伝導性の絶縁材料とによって熱的に接するように取り付けられた装置が従来より知られている（例えば、特許文献１参照）。
【０００５】
また、ヒートシンクの一方の側に２つの凸部を形成し、その凸部で形成する凹部を付き合わせて作った仕切り形成されたダクト内に接続用リード線を収容し、凹部は他のヒートシンクを当接させるか、他の部品を当接させることにより、ダクト内に接続用リード線を収容することによって接続用リード線を発熱部品から保護する構成のヒートシンク構造が従来より知られている（例えば、特許文献２参照）。
【０００６】
更に、複数のブロックを組み合わせてヒートシンク台を構成することが知られている（例えば、特許文献３参照）。この特許文献３のヒートシンク台は、低熱膨張性金属と、高熱伝導性金属との合金体からなる部分を有するＬＳＩ用のヒートシンク台であり、上記合金体の部分が、低熱膨張性金属と高熱伝導性金属とが互いに均一に分散された溶体化した上で全体に金属拡散接合された組織により構成されている。
【０００７】
【特許文献１】特開２０００−３０７２７７号公報（第３頁）
【特許文献２】特開２００２−１５８３２０号公報（第２−３頁）
【特許文献３】特開平９−２５５２５号公報（第２頁）
【発明の開示】
【発明が解決しようとする課題】
【０００８】
しかしながら、図７に示した従来の積層ＬＳＩチップ構造の半導体装置においては、次のような課題がある。第１の課題は、ヒートシンク６が一平面で、ＬＳＩチップ２と接続する構造であるため、最上部のＬＳＩチップ２の上面以外にヒートシンク６を取り付けることができないため、最上部以外の下部のＬＳＩチップ２からの熱は、はんだバンプ４を通して、最上部のＬＳＩチップ２に伝導させる以外に放熱する手段がない。このため、半導体装置全体として効率的な放熱ができないということである。
【０００９】
第２の課題は、最上部以外の下部のＬＳＩチップ２の発熱による熱は、はんだバンプ４を介して上下方向の熱伝導のみ許されるため、はんだバンプ４部分で、伝熱する面積が小さくなり、効率良く放熱できないということである。
【００１０】
なお、特許文献１記載の装置では、発熱部品がパワートランジスタ等であるため発熱量が大きく、マイコン等のＬＳＩは熱影響を受け易い部品として低熱伝導性の絶縁材料を塗布することにより、熱影響を防止するようにしている。また、特許文献２記載のヒートシンク構造は、凹部を持つ２つのヒートシンクをつき合わせて作ったダクトの中に接続用リードを通し、発熱部品から保護する構造により、ケーブルの固定部材や耐熱チューブ等をケーブルに被せることがないようにしているに過ぎない。
【００１１】
更に、特許文献３記載のヒートシンクとして複数のブロックを組み合わせたときには、立体容器状にはならず、ＬＳＩと接続されるのは、組み合わせた別の部品の一平面である。また、ヒートシンク台はヒートシンクとして組み立てられたものが、一平面からの放熱となる。
【００１２】
従って、上記の特許文献１乃至３記載の各発明を組み合わせた場合、熱伝導性絶縁材で部品間を接する構成で、ブロックを組み合わせ、焼結することで製造されるヒートシンクであり、ケーブル保持用の凹部を持つヒートシンクが構成されるものであり、積層ＬＳＩチップ構造には適用できない。
【００１３】
本発明は以上の点に鑑みなされたもので、積層された複数のＬＳＩチップのうち最上部以外の下部のＬＳＩチップからも、効率の良い放熱を可能にした半導体装置を提供することを目的とする。
【課題を解決するための手段】
【００１４】
上記の目的を達成するため、本発明は複数のＬＳＩチップが基板上に積層された積層構造の半導体装置において、上下に隣接するＬＳＩチップとの間又は最下部のＬＳＩチップの下面と基板との間に設けられた熱伝導性部材と、複数のＬＳＩチップのうち、最上部のＬＳＩチップの表面及び複数のＬＳＩチップの各側面と熱伝導性部材の側面にそれぞれ接触し、かつ、被覆する放熱シートと、放熱シートのＬＳＩチップと反対側表面が内面に接触され、かつ、積層構造の全体を覆うヒートシンクとを有することを特徴とする。
【００１５】
この発明では、最上部のＬＳＩチップの上面以外に、下部のＬＳＩチップの上面の一部からの熱を熱伝導性部材及び放熱シートを介してヒートシンクに伝導させ、ヒートシンクにより外部雰囲気中に放熱することができ、また、最上部のＬＳＩチップの表面以外に、複数のＬＳＩチップの側面からの熱を熱伝導性部材及び放熱シートを介してヒートシンクに伝導させ、ヒートシンクにより外部雰囲気中に放熱することができる。
【００１６】
また、上記の目的を達成するため、本発明は、互いにチップサイズが異なる複数のＬＳＩチップが、チップサイズが大きいものから順に基板上に順次積層され、最上部のＬＳＩチップは最もチップサイズが小さなＬＳＩチップである積層構造の半導体装置であって、上下に隣接する２つのＬＳＩチップとの間又は最下部のＬＳＩチップの下面と基板との間に設けられた熱伝導性部材と、複数のＬＳＩチップのうち、最上部のＬＳＩチップの表面、及び上下に隣接するＬＳＩチップのうち上部に隣接するＬＳＩチップの範囲より外側に現れた下部側のＬＳＩチップの表面と、複数のＬＳＩチップの各側面と、熱伝導性部材の側面にそれぞれ接触し、かつ、被覆する放熱シートと、放熱シートのＬＳＩチップ側面の反対側表面が内面に接触され、かつ、積層構造の全体を覆うように、積層構造に対応した階段状の掘り込みが底面に形成されたヒートシンクとを有することを特徴とする。
【００１７】
この発明では、互いにチップサイズが異なる複数のＬＳＩチップが、チップサイズが大きいものから順に基板上に順次積層され、最上部のＬＳＩチップは最もチップサイズが小さなＬＳＩチップである積層構造の半導体装置において、最上部のＬＳＩチップの上面以外に、下部のＬＳＩチップの上面の一部からの熱を熱伝導性部材及び放熱シートを介してヒートシンクに伝導させることができると共に、最上部のＬＳＩチップの表面以外に、複数のＬＳＩチップの側面からの熱を熱伝導性部材及び放熱シートを介してヒートシンクに伝導させ、ヒートシンクにより外部雰囲気中に放熱することができる。
【００１８】
ここで、最上部のＬＳＩチップは、同じ最上層に設けられた２つ以上のＬＳＩチップからなる構成でもよい。また、上記の熱伝導性部材は、熱伝導性アンダーフィル樹脂や、熱伝導性のある液状の材料からなる構成である。また、上記の放熱シートの部分は、熱伝導性のある液状の材料からなることを特徴とする。
【００１９】
また、上記の目的を達成するため、本発明は、複数のＬＳＩチップが基板上に積層された積層構造の半導体装置において、上下に隣接するＬＳＩチップとの間又は最下部のＬＳＩチップの下面と基板との間に設けられた第１の放熱シートと、複数のＬＳＩチップのうち、最上部のＬＳＩチップの表面及び複数のＬＳＩチップの各側面と第１の放熱シートの端部をそれぞれ被覆する第２の放熱シートと、第２の放熱シートのＬＳＩチップに接する面と反対側表面が内面に接触され、かつ、積層構造の全体を覆うヒートシンクとを有することを特徴とする。
【００２０】
この発明では、最上部のＬＳＩチップの上面以外に、下部のＬＳＩチップの上面の一部からの熱を第１及び第２放熱シートを介してヒートシンクに伝導させ、ヒートシンクにより外部雰囲気中に放熱することができ、また、最上部のＬＳＩチップの表面以外に、複数のＬＳＩチップの側面からの熱を第１及び第２の放熱シートを介してヒートシンクに伝導させ、ヒートシンクにより外部雰囲気中に放熱することができる。
【００２１】
また、上記の目的を達成するため、本発明は、互いにチップサイズが異なる複数のＬＳＩチップが、チップサイズが大きいものから順に基板上に順次積層され、最上部のＬＳＩチップは最もチップサイズが小さなＬＳＩチップである積層構造の半導体装置であって、上下に隣接する２つのＬＳＩチップとの間又は最下部のＬＳＩチップの下面と基板との間に設けられた第１の放熱シートと、複数のＬＳＩチップのうち、最上部のＬＳＩチップの表面、及び上下に隣接するＬＳＩチップのうち上部に隣接するＬＳＩチップの範囲より外側に現れた下部側のＬＳＩチップの表面と、複数のＬＳＩチップの各側面と、熱伝導性部材の側面にそれぞれ接触し、かつ、被覆する第２の放熱シートと、第２の放熱シートのＬＳＩチップ側面の反対側表面が内面に接触され、かつ、積層構造の全体を覆うように、積層構造に対応した階段状の掘り込みが底面に形成されたヒートシンクとを有することを特徴とする。
【００２２】
この発明では、互いにチップサイズが異なる複数のＬＳＩチップが、チップサイズが大きいものから順に基板上に順次積層され、最上部のＬＳＩチップは最もチップサイズが小さなＬＳＩチップである積層構造の半導体装置において、最上部のＬＳＩチップの上面以外に、下部のＬＳＩチップの上面の一部からの熱を第１及び第２の放熱シートを介してヒートシンクに伝導させることができると共に、最上部のＬＳＩチップの表面以外に、複数のＬＳＩチップの側面からの熱を第１及び第２の放熱シートを介してヒートシンクに伝導させ、ヒートシンクにより外部雰囲気中に放熱することができる。
【００２３】
ここで、上記の最上部のＬＳＩチップは、同じ最上層に設けられた２つ以上のＬＳＩチップからなる構成でもよく、また、第１の放熱シートは、上下に隣接する複数のＬＳＩチップ間の電気的接続及び機械的接続を行うはんだバンプを逃がす開口部が穿設された低弾性係数の高分子材料からなることを特徴とする。また、第２の放熱シートの部分は、熱伝導性のある液状の材料からなる構成でもよい。更に、本発明は、上記のＬＳＩチップに替えて積層可能な電子部品が積層されてなる構成でも適用できる。
【発明の効果】
【００２４】
本発明によれば、最上部のＬＳＩチップ又は電子部品の上面以外に、下部のＬＳＩチップ又は電子部品の上面の一部からの熱をヒートシンクによって、外部雰囲気中に放熱することができるようにしているので、半導体装置全体として効率的な放熱ができる。
【００２５】
また、本発明によれば、最上部のＬＳＩチップ又は電子部品の表面以外に、ＬＳＩチップ又は電子部品の側面からの熱を、ヒートシンクによって、外部雰囲気中に放熱することができるようにしているので、半導体装置全体としての放熱性能を向上させることができる。
【発明を実施するための最良の形態】
【００２６】
次に、本発明になる半導体装置の各実施の形態について図面と共に説明する。
【００２７】
（第１の実施の形態）
図１は本発明になる半導体装置の第１の実施の形態の断面構造図を示す。同図中、図７と同一構成部分には同一符号を付してある。図１において、中継基板１の上に各々同一チップサイズのＬＳＩチップ２が４層積層されており、各ＬＳＩチップ２には各ＬＳＩチップ２の間を電気的に接続する貫通電極３が形成されており、また、はんだバンプ４で互いに機械的及び電気的に接続されている。中継基板１は、ＬＳＩチップ２の積層構造を外部のＰＷＢ（Printed Wiring Board）に実装するときに、ＰＷＢのピッチに対応させるために、パッドピッチの拡大やＰＷＢとＬＳＩとの熱膨張係数の差を緩和するために使用されるもので、ＬＳＩパッケージとしてハンドリングできるという作用も有する。
【００２８】
また、ヒートシンク８はこれら４層の積層ＬＳＩチップ構造全体を覆う形状で構成されている。放熱シート９の表面及び裏面の一方の面は複数のＬＳＩチップ２の各側面と最上部のＬＳＩチップの表面にそれぞれ接触しており、放熱シート９の他方の面はヒートシンク８の内面に接触している。また、上下に隣接するＬＳＩチップ２の間及びＬＳＩチップ２と中継基板１の表面との間には、それぞれ熱伝導性アンダーフィル樹脂１０が充填されている。熱伝導性アンダーフィル樹脂１０の側面は、ＬＳＩチップ２の側面と同一平面になるように構成されており、ＬＳＩチップ２の側面と同様に放熱シート９が接触している。放熱シート９の反対側は、ヒートシンク８の内側に接触している。
【００２９】
このように、本実施の形態によれば、複数のＬＳＩチップ２を積層したスタックチップ構造において、最上部のＬＳＩチップ２の表面からの放熱のみでなく、下部のＬＳＩチップ２の側面及びＬＳＩチップ２の下面及び、その直下のＬＳＩチップ２の上面からの放熱を効率的に行うために、ＬＳＩチップ２の側面及びＬＳＩチップ２の下の熱伝導性アンダーフィル樹脂１０からの放熱が可能なヒートシンク構造にしたことを特徴としている。
【００３０】
これにより、本実施の形態では、ヒートシンク８が、ＬＳＩチップ２の発熱による熱を、ＬＳＩチップ２の側面及び、ＬＳＩチップ２の下面とその直下のＬＳＩチップ２の上面から、熱伝導性アンダーフィル樹脂１０及び放熱シート９を介して伝熱させて、これを外部雰囲気中に放熱する構成であるため、従来に比べて高い放熱効果を得ることができる。
【００３１】
なお、図１のＬＳＩチップ２の積層構造及び、その製造方法は、当業者にとってよく知られており、また本発明とは直接関係しないので、その詳細な構成並びに製造方法の説明は省略する。
【００３２】
次に、図１の半導体装置の動作（熱伝導の経路）を説明する。図１において、装置の動作により、ＬＳＩチップ２が発熱すると、ＬＳＩチップ２側面からの熱は、放熱シート９内を熱伝導し、ヒートシンク８に到達する。ヒートシンク８に到達した熱は、ヒートシンク８から冷却用ファンによる強制対流あるいは自然対流による熱伝達で外部雰囲気中に放熱される。
【００３３】
一方、ＬＳＩチップ２の下面及び、その直下のＬＳＩチップ２の上面からの熱は、熱伝導性アンダーフィル樹脂１０内を伝導し、更に、放熱シート９内を伝導して、ヒートシンク８に伝導する。ヒートシンク８に伝導した熱は、ヒートシンク８から同様に強制対流あるいは自然対流による熱伝達で外部雰囲気中に放熱される。
【００３４】
また、ＬＳＩチップ２の下面からの熱には、熱伝導性アンダーフィル樹脂１０内を伝導し、上部のＬＳＩチップ２に伝導する熱もある。上部のＬＳＩチップ２に伝導した熱は、ＬＳＩチップ２内を伝導し、その上部の熱伝導性アンダーフィル樹脂１０内を伝導し、更に上部のＬＳＩチップ２に伝導し、最終的には、最上部のＬＳＩチップ２に伝導する。
【００３５】
最上部のＬＳＩチップ２の表面からの熱は、放熱シート９内を伝導してヒートシンク８に到達する。最上部のＬＳＩチップ２からヒートシンク８に到達した熱は、ヒートシンク８から上記と同様に強制対流あるいは自然対流による熱伝達で外部雰囲気中に放熱される。
【００３６】
なお、上記実施の形態で、ＬＳＩチップ２の部分については、積層可能なＱＦＰ（Quad Flat Package）等の電子部品で構成してもよい。また、放熱シート９の部分を構成する材料については、放熱シート９のように固体である必要はなく、ＬＳＩチップ２の熱を効率良くヒートシンク８に伝導できればよいので、熱伝導性の良い（熱拡散率（＝熱伝導係数／比熱／密度）の高い）液状の材料（例えば、シリコーン樹脂とフィラー（固体粒子）の混合物）で構成することも可能である。
【００３７】
更に、熱伝導性アンダーフィル樹脂１０の部分を構成する材料についても、アンダーフィル樹脂のように弾性係数の高い材料でなくても、ＬＳＩチップ２の熱を効率良く、ヒートシンク８や上部のＬＳＩチップ２に伝導できればよいので、熱伝導性の良い液状の材料（例えば、シリコーン樹脂とフィラー（固体粒子）の混合物）で構成してもよい。
【００３８】
（第２の実施の形態）
次に、本発明の第２の実施の形態について説明する。図２（Ａ）は本発明になる半導体装置の第２の実施の形態の断面構造図を示す。同図中、図１と同一構成部分には同一符号を付し、その説明を省略する。図２（Ａ）に示す構造の第２の実施の形態は、基本的構成は上記の第１の実施の形態と同様であるが、ＬＳＩチップ２の下面の放熱構造について、さらに工夫している。
【００３９】
すなわち、図２（Ａ）に示すように、本実施の形態のＬＳＩチップ２の下面の放熱構造は、ＬＳＩチップ２の下部に熱伝導性アンダーフィル樹脂１０ではなく、はんだバンプ４を逃げるように開口部が開けられた、ＬＳＩ下放熱シート１１を上下に隣接するＬＳＩチップ２の間及びＬＳＩチップ２と中継基板１との間にそれぞれ設けた構造である。
【００４０】
このＬＳＩ下放熱シート１１は、図２（Ｂ）にその一例の上面図を示すように、四角形の放熱シートに、複数個の開口部１２が規則的に穿設された構造である。開口部１２は、はんだバンプ４を逃げるために設けられている。
【００４１】
これにより、本実施の形態によれば、ＬＳＩチップ２間は、ＬＳＩ下放熱シート１１で挟まれているので、ＬＳＩチップ２からの熱はＬＳＩ下放熱シート１１により、ヒートシンク８に伝導させることができ、半導体装置全体として、効率良く放熱できるという効果が得られる。
【００４２】
本実施の形態では、ＬＳＩチップ２の下のＬＳＩ下放熱シート１１の部分は、アンダーフィル樹脂のように、弾性率の高い材料ではなく、流動性の材料（例えば、シリコーン樹脂とフィラー：固体粒子の混合物）で構成してもよい。この場合は、第１の実施の形態で、熱伝導性アンダーフィル樹脂１０の部分を熱伝導性の良い液状の材料（例えば、シリコーン樹脂とフィラー（固体粒子）の混合物）で構成した場合と同じとなる。
【００４３】
また、本実施の形態において、積層ＬＳＩ構造の部分については積層可能なＱＦＰなどの一般的なＬＳＩパッケージ構造で構成してもよい。また、ＬＳＩ下放熱シート１１の部分は、はんだバンプ部分を逃すことのできる開口穴の開いた放熱シートのような弾性係数の低い高分子材料で構成してもよい。ここで、熱伝導性の良い液状の材料や弾性係数の低い高分子材料で構成する理由は、接触面積を大きくすることで、上下のＬＳＩチップ２間の熱抵抗を小さくすることができるからである。
【００４４】
（第３の実施の形態）
次に、本発明の第３の実施の形態について説明する。図３は本発明になる半導体装置の第３の実施の形態の断面構造図を示す。同図中、図１と同一構成部分には同一符号を付し、その説明を省略する。図３において、中継基板１の上に半導体チップサイズが上部に行くほど小さくなるように、下から上に順にＬＳＩチップ２ａ、２ｂ、２ｃが３層積層されている。各ＬＳＩチップ２ａ、２ｂ、２ｃには隣接するＬＳＩチップ２ａ、２ｂ、２ｃを電気的に接続するための貫通電極３が形成されており、また、各ＬＳＩチップ２ａ、２ｂ、２ｃ間は、はんだバンプ４で互いに機械的、及び、電気的に接続されている。
【００４５】
ヒートシンク１３は、底面にこれら３層の積層ＬＳＩチップ構造の外形に対応した段階状の掘り込みを有し、構造全体を覆う形状で構成されている。放熱シート１４の表面及び裏面の一方の面は、３層のＬＳＩチップ２ａ、２ｂ、２ｃの各側面と、最上部のＬＳＩチップ２ｃの表面と、上部ＬＳＩチップ２ｃ、２ｂの範囲より外側に現れた下部ＬＳＩチップ２ｂ、２ａの各表面とにそれぞれ接触しており、放熱シート１４の他方の面はヒートシンク１３の内面に接触するように形成されている。
【００４６】
また、上下に隣接するＬＳＩチップ２ａと２ｂの間、２ｂと２ｃの間及びＬＳＩチップ２ａと中継基板１の表面との間には、それぞれ熱伝導性アンダーフィル樹脂１０が充填されている。熱伝導性アンダーフィル樹脂１０の側面は、充填部分の上側のＬＳＩチップ２ａ、２ｂ又は２ｃの側面と同一平面になるように構成されており、ＬＳＩチップ２ａ〜２ｃの側面と同様に放熱シート１４が接触している。放熱シート１４の反対側は、ヒートシンク１３の内側に接触している。
【００４７】
以上詳細に本実施の形態の構成を述べたが、図３のＬＳＩチップの積層構造及び、その構造方法は、当業者にとってよく知られており、また本発明とは直接関係しないので、その詳細な構成は省略する。
【００４８】
次に、図３の半導体装置の動作（熱伝導の経路）を説明する、図３において、装置の動作により、ＬＳＩチップ２ａ〜２ｃが発熱すると、最上部ＬＳＩチップ２ｃの表面及び、下部のＬＳＩチップ２ｂ、２ａの表面で上部ＬＳＩチップ２ｃ、２ｂの範囲より外側に現れた下部ＬＳＩチップ２ｂ、２ａの各表面、及び、最上部ＬＳＩチップ２ｃを含めた、下部の複数のＬＳＩチップ２ｂ、２ａの側面からの熱は、放熱シート１４内を熱伝導し、ヒートシンク１３に到達する。ヒートシンク１３に到達した熱は、ヒートシンク１３から冷却用ファンによる強制対流あるいは、自然対流による熱伝達で外部雰囲気中に放熱される。
【００４９】
また、ＬＳＩチップ２ａ〜２ｃの各下面からの熱には、熱伝導性アンダーフィル樹脂１０内を伝導し、上部のＬＳＩチップ２ａ〜２ｃに伝導する熱もある。上部のＬＳＩチップ２ａ、２ｂに伝導した熱は、そのＬＳＩチップ２ａ、２ｂ内を伝導し、最終的には、最上部のＬＳＩチップ２ｃに伝導する。このような経路で伝導した最上部のＬＳＩチップ２ｃからの熱は、放熱シート１４内を伝導し、ヒートシンク１３に到達する。最上部のＬＳＩチップ２ｃからヒートシンク１３に到達した熱はヒートシンク１３から上記と同様に強制対流あるいは自然対流による熱伝達で外部雰囲気中に放熱される。
【００５０】
このように、本実施の形態によれば、最上部のＬＳＩチップ２ｃの上面以外に、下部のＬＳＩチップ２ｂ、２ａの上面の一部からの熱をヒートシンク１３によって、外部雰囲気中に放熱することができるようにしているので、半導体装置全体として効率的な放熱ができる。また、本実施の形態によれば、最上部のＬＳＩチップ２ｃの表面以外に、積層されている各ＬＳＩチップ２ａ〜２ｃの側面からの熱を、ヒートシンク１３によって、外部雰囲気中に放熱することができるようにしているので、半導体装置全体としての放熱性能を向上させることができる。
【００５１】
なお、上記実施の形態では、ＬＳＩチップ２ａ〜２ｃについては、積層可能なＱＦＰ（Quad Flat Package）等の電子部品で構成してもよい。また、放熱シート１４の部分を構成する材料については、放熱シート１４のように固体である必要はなく、ＬＳＩチップ２ａ〜２ｃの熱を効率良く、ヒートシンク１３や上部のＬＳＩチップ２ａ〜２ｃに伝導できればよいので、熱伝導性の良い液状の材料（例えば、シリコーン樹脂とフィラー（固体粒子）の混合物）で構成してもよい。
【００５２】
更に、伝導性アンダーフィル樹脂１０の部分を構成する材料についても、アンダーフィル樹脂のように弾性係数の高い材料でなくても、ＬＳＩチップ２ａ〜２ｃの熱を効率良くヒートシンク１３や上部ＬＳＩチップ２ｂ、２ｃに伝導できればよいので、熱伝導性の良い液状の材料（例えば、シリコーン樹脂とフィラー（固体粒子）の混合物）で構成してもよい。ここで、熱伝導性の良い液状の材料や弾性係数の低い高分子材料で構成する理由は、接触面積を大きくすることで、上下のＬＳＩチップ２ａ、２ｂ間、２ｂ、２ｃ間の各熱抵抗を小さくすることができるからである。
【００５３】
（第４の実施の形態）
次に、本発明の第４の実施の形態について説明する。図４（Ａ）は本発明になる半導体装置の第４の実施の形態の断面図を示す。同図中、図３と同一構成部分には同一符号を付し、その説明を省略する。図４（Ａ）に示す構造の第４の実施の形態は、基本的構成は上記の第３の実施の形態と同様であるが、ＬＳＩチップ２ａ〜２ｃの下面の放熱構造について、さらに工夫している。
【００５４】
すなわち、図４（Ａ）に示すように、本実施の形態のＬＳＩチップ２ａ〜２ｃの下面の放熱構造は、ＬＳＩチップ２ａ〜２ｃの下部に熱伝導性アンダーフィル樹脂１０ではなく、はんだバンプ４を逃げるように開口部が開けられた、ＬＳＩ下放熱シート１５を上下に隣接するＬＳＩチップ２ｃと２ｂの間、ＬＳＩチップ２ｂと２ａの間、及び、ＬＳＩチップ２ａと中継基板１との間にそれぞれ設けた構造である。
【００５５】
このＬＳＩ放熱シート１５は、図４（Ｂ）にその一例の上面図を示すように、四角形の放熱シートに、複数個の開口部１６が規則的に穿設された構造である。開口部１６は、はんだバンプ４を逃げるために設けられている。
【００５６】
これにより本実施の形態によれば、ＬＳＩチップ２ｃと２ｂの間、ＬＳＩチップ２ｂと２ａの間、及び、ＬＳＩチップ２ａと中継基板１との間は、ＬＳＩ下放熱シート１５で挟まれているので、ＬＳＩチップ２ａ〜２ｃからの熱はＬＳＩ下放熱シート１５により、放熱シート１４を経由してヒートシンク１３に伝導させることができ、半導体装置全体として、効率良く放熱できるという効果が得られる。
【００５７】
なお、本実施の形態においても、放熱シート１４を構成する材料については、熱伝導性の良い液状の材料（例えば、シリコーン樹脂とフィラー（固体粒子）の混合物）で構成してもよい。また、本実施の形態において、積層ＬＳＩ２ａ〜２ｃの部分については積層可能なＱＦＰなどの一般的なＬＳＩパッケージ構造で構成してもよい。また、ＬＳＩ下放熱シート１５の部分は、はんだバンプ部分を逃すことのできる開口穴の開いた放熱シートのような弾性係数の低い高分子材料で構成してもよい。ここで、熱伝導性の良い液状の材料や弾性係数の低い高分子材料で構成する理由は、接触面積を大きくすることで、上下のＬＳＩチップ２間の熱抵抗を小さくすることができるからである。
【００５８】
（第５の実施の形態）
次に、本発明の第５の実施の形態について説明する。図５は本発明になる半導体装置の第５の実施の形態の断面図を示す。同図中、図３と同一構成部分には同一符号を付し、その説明を省略する。図５において、中継基板１上にＬＳＩチップが３層積層された構造であり、かつ、それらＬＳＩチップは、半導体チップサイズが上部に行くほど小さくなるように積層されている点は、第３及び第４の実施の形態と同様であるが、本実施の形態では、最上部のＬＳＩチップが２つのＬＳＩチップ２ｄと２ｅとからなる点に特徴がある。
【００５９】
ＬＳＩチップ２ａ、２ｂには隣接するＬＳＩチップ２ａ、２ｂを電気的に接続するための貫通電極３が形成されており、また、ＬＳＩチップ２ａ、２ｂ間と、ＬＳＩチップ２ｂ、２ｄ間、ＬＳＩチップ２ｂ、２ｅ間は、はんだバンプ４で互いに機械的、及び、電気的に接続されている。
【００６０】
ヒートシンク１７は、底面にこれら３層の積層ＬＳＩチップ構造の外形に対応した段階状の掘り込みを有し、構造全体を覆う形状で構成されている。放熱シート１８の表面及び裏面の一方の面は、３層のＬＳＩチップ２ａ、２ｂ、２ｄ、２ｅの各側面と、最上部のＬＳＩチップ２ｄ、２ｅの表面と、上部ＬＳＩチップ２ｄ、２ｅ、２ｂの範囲より外側に現れた下部ＬＳＩチップ２ｂ、２ａの各表面とにそれぞれ接触しており、放熱シート１８の他方の面はヒートシンク１７の内面に接触するように形成されている。
【００６１】
また、上下に隣接するＬＳＩチップ２ｂと２ｄの間、ＬＳＩチップ２ｂと２ｅとの間には、他の上下に隣接するＬＳＩチップ間や中継基板１とＬＳＩチップ２ａ間と同様に、それぞれ熱伝導性アンダーフィル樹脂１０が充填されている。熱伝導性アンダーフィル樹脂１０の側面は、充填部分の上側のＬＳＩチップ２ａ、２ｂ、２ｄ、又は２ｅの側面と同一平面になるように構成されており、ＬＳＩチップ２ａ、２ｂ、２ｄ、又は２ｅの側面と同様に放熱シート１８が接触している。放熱シート１８の反対側は、ヒートシンク１７の内側に接触している。
【００６２】
本実施の形態も上記の各実施の形態と同様に、最上部のＬＳＩチップ２ｄ、２ｅの上面以外に、下部のＬＳＩチップ２ｂ、２ａの上面の一部からの熱をヒートシンク１７によって、外部雰囲気中に放熱することができるようにしているので、半導体装置全体として効率的な放熱ができる。また、本実施の形態によれば、最上部のＬＳＩチップ２ｄ、２ｅの表面以外に、積層されている各ＬＳＩチップ２ａ、２ｂの側面からの熱を、ヒートシンク１７によって、外部雰囲気中に放熱することができるようにしているので、半導体装置全体としての放熱性能を向上させることができる。
【００６３】
（第６の実施の形態）
次に、本発明の第６の実施の形態について説明する。図６は本発明になる半導体装置の第６の実施の形態の断面図を示す。同図中、図５と同一構成部分には同一符号を付し、その説明を省略する。図６に示す実施の形態は、第５の実施の形態では最上部のＬＳＩチップであったＬＳＩチップ２ｅの更に上部に、ＬＳＩチップ２ｅとチップサイズが同一か小さなＬＳＩチップ２ｆを積層した点に特徴がある。
【００６４】
ＬＳＩチップ２ａ、２ｂ、２ｅには隣接するＬＳＩチップ２ａ、２ｂ、２ｅ、２ｆを電気的に接続するための貫通電極３が形成されており、また、ＬＳＩチップ２ａ、２ｂ間と、ＬＳＩチップ２ｂ、２ｄ間、ＬＳＩチップ２ｂ、２ｅ間、ＬＳＩチップ２ｅ、２ｆ間は、はんだバンプ４で互いに機械的、及び、電気的に接続されている。
【００６５】
ヒートシンク２０は、底面にこれら積層ＬＳＩチップ構造の外形に対応した段階状の掘り込みを有し、構造全体を覆う形状で構成されている。放熱シート１９の表面及び裏面の一方の面は、ＬＳＩチップ２ａ、２ｂ、２ｄ、２ｅ、２ｆの各側面と、最上部のＬＳＩチップ２ｄ、２ｆの表面と、上部ＬＳＩチップ２ｄ、２ｆ、２ｂの範囲より外側に現れた下部ＬＳＩチップ２ｂ、２ａの各表面とにそれぞれ接触しており、放熱シート１９の他方の面はヒートシンク２０の内面に接触するように形成されている。
【００６６】
また、上下に隣接するＬＳＩチップ２ｆと２ｅの間には、他の上下に隣接するＬＳＩチップ間や中継基板１とＬＳＩチップ２ａ間と同様に、それぞれ熱伝導性アンダーフィル樹脂１０が充填されている。熱伝導性アンダーフィル樹脂１０の側面は、充填部分の上側のＬＳＩチップ２ａ、２ｂ、２ｄ、２ｅ又は２ｆの側面と同一平面になるように構成されており、ＬＳＩチップ２ａ、２ｂ、２ｄ、２ｅ又は２ｆの側面と同様に放熱シート１９が接触している。放熱シート１９の反対側は、ヒートシンク１７の内側に接触している。
【００６７】
このような構造により、本実施の形態も上記の各実施の形態と同様に、半導体装置全体の効率的な放熱ができ、放熱性能を向上できる。
【００６８】
なお、本発明は以上の実施の形態に限定されるものではなく、例えば、第５及び第６の実施の形態における熱伝導性アンダーフィル樹脂１０の替わりに、はんだバンプ４を逃げるように開口部が開けられた、ＬＳＩ下放熱シートを設けるようにしてもよい。また、第１及び第２の実施の形態の最上部の層のＬＳＩチップ又は電子部品を、図５に示すように複数のＬＳＩチップ又は電子部品からなる構成としてもよい。
【図面の簡単な説明】
【００６９】
【図１】本発明の第１の実施の形態の断面構造図である。
【図２】本発明の第２の実施の形態の断面構造図及び要部の上面図である。
【図３】本発明の第３の実施の形態の断面構造図である。
【図４】本発明の第４の実施の形態の断面構造図及び要部の上面図である。
【図５】本発明の第５の実施の形態の断面構造図である。
【図６】本発明の第６の実施の形態の断面構造図である。
【図７】従来の一例の断面構造図である。
【符号の説明】
【００７０】
１  中継基板
２、２ａ〜２ｃ  ＬＳＩチップ
３  貫通電極
４  はんだバンプ
５、９、１４、１８、１９  放熱シート
６、８、１３、１７、２０  ヒートシンク
７  はんだボール
１０  熱伝導性アンダーフィル樹脂
１１、１５  ＬＳＩ下放熱シート
１２、１６  開口部
【図１】
2006210892.tif 000003
【図２】
2006210892.tif 000004
【図３】
2006210892.tif 000005
【図４】
2006210892.tif 000006
【図５】
2006210892.tif 000007
【図６】
2006210892.tif 000008
【図７】
2006210892.tif 000009